(57)【要約】【課題】釣り竿を投げるのが困難な場所でも、所望の位置にルアーを投げてルアーフィッシングを楽しむことができる釣り道具を提供する。【解決手段】発射台２は、釣り糸の先端に連結された釣り針及び擬似餌を載置する。スライダ３は、発射台２を一方向に案内する案内部である。発射台２は、スライダ３を摺動可能となっている。弾性部材４は、発射台２に係止された第１の係止部４Ａと、スライダ３の一端に係止された第２の係止部４Ｂとを有する。一方の手でスライダ３を把持しつつ、他方の手で発射台２を第１の係止部４Ａと第２の係止部４Ｂとの距離が長くなるように、スライダ３上で発射台２を摺動させて弾性部材４に引っ張り弾性力を与えた後、発射台２から他方の手を離すと、発射台２がスライダ３を摺動して停止した後、発射台２に載置された釣り針及び擬似餌を目標地点に飛ばす。【選択図】図１
2018057298.tif 000002
【特許請求の範囲】
【請求項１】
釣り糸の先端に連結された釣り針及び擬似餌を載置し、かつ、把持可能な発射台と、
前記発射台を長手方向に摺動可能で、かつ、把持可能なスライダと、
前記発射台に係止される第１の係止部と、前記スライダの一端に係止される第２の係止部とを有する弾性部材と、
を備え、
前記第１の係止部と前記第２の係止部との距離が長くなると、前記スライダ上で前記発射台を摺動させて前記弾性部材に引っ張り弾性力が与えられ、この引っ張り弾性力により、前記発射台が前記スライダを長手方向に摺動して停止した後、前記発射台に載置された釣り針及び前記擬似餌を目標地点に飛ばす、
釣り道具。
【請求項２】
一方の手で把持可能で、前記スライダに連結された把持部を備える、
請求項１に記載の釣り道具。
【請求項３】
前記発射台には、
擬似餌を収容し、前記スライダの摺動方向であって擬似餌が飛ぶ方向に開口したポケット部と、
釣り針を保持し、前記スライダの摺動方向であって釣り針が飛ぶ方向に開放されたスリット部と、
を備える、
請求項１又は２に記載の釣り道具。
【請求項４】
前記弾性部材が前記スライダの一端及び前記発射台から脱着可能である、
請求項１〜３のいずれか一項に記載の釣り道具。
【請求項５】
磁力により、身の回り品を連結可能な連結部を備える、
請求項１〜４のいずれか一項に記載の釣り道具。
【請求項６】
前記スライダには、釣り針及び擬似餌が飛ぶ距離に対応する目盛りが設けられている、
請求項１〜５のいずれか一項に記載の釣り道具。
【発明の詳細な説明】
【技術分野】
【０００１】
本発明は、釣り道具に関する。
【背景技術】
【０００２】
従来より、スポーツフィッシングの１つとしてルアーフィッシングが行われている。ルアーフィッシングは概略以下のようにして行われる。
【０００３】
まず、釣り糸の先端に装着されたルアー又はワーム等の擬似餌及び釣り針を、岸辺又は船上からロット（釣り竿）を振って水面に向かって投げる。その後、水面又は水中にある擬似餌をリールで緩やかに又はリズムを付けて巻き取っていく。この間に擬似餌に食いついてきた魚を釣る。
【０００４】
ルアーフィッシングは、例えばブラックバスなどの縄張りを侵したものへの攻撃性、好奇心及び食欲などを利用した釣り方であり、そのスポーツ性（魚の引きの強さ）から愛好者がどんどん増えており、ますます盛んになっている。このような背景から、ルアーフィッシングで利用される数々の道具が提案されている（例えば、特許文献１等参照）。
【先行技術文献】
【特許文献】
【０００５】
【特許文献１】特開２０１１−２１７６８２号公報
【発明の概要】
【発明が解決しようとする課題】
【０００６】
ルアーフィッシングでは、上述のように岸辺や船上から釣り竿を、野球のオーバースローのように振ることにより行われる。しかしながら、岸辺や船上には、木の枝などが邪魔になって釣り竿を振るのが難しい場所もある。
【０００７】
この場合、着水させたいポイントに擬似餌等をキャスティングすることができないという不都合があった。着水させたいポイントに擬似餌等を着水させることができなければ、スポーツフィッシングとしてのルアーフィッシングの魅力は大きく失われる。
【０００８】
本発明は、上記実情に鑑みてなされたものであり、木に覆われるなどして、釣り竿を投げるのが困難な場所でも、所望の位置にルアーを投げてルアーフィッシングを楽しむことができる釣り道具を提供することを目的とする。
【課題を解決するための手段】
【０００９】
上記目的を達成するために、本発明に係る釣り道具は、
釣り糸の先端に連結された釣り針及び擬似餌を載置し、かつ、把持可能な発射台と、
前記発射台を長手方向に摺動可能で、かつ、把持可能なスライダと、
前記発射台に係止される第１の係止部と、前記スライダの一端に係止される第２の係止部とを有する弾性部材と、
を備え、
前記第１の係止部と前記第２の係止部との距離が長くなると、前記スライダ上で前記発射台を摺動させて前記弾性部材に引っ張り弾性力が与えられ、この引っ張り弾性力により、前記発射台が前記スライダを長手方向に摺動して停止した後、前記発射台に載置された釣り針及び前記擬似餌を目標地点に飛ばす。
【００１０】
この場合、一方の手で把持可能で、前記スライダに連結された把持部を備える、
こととしてもよい。
【００１１】
また、前記発射台には、
擬似餌を収容し、前記スライダの摺動方向であって擬似餌が飛ぶ方向に開口したポケット部と、
釣り針を保持し、前記スライダの摺動方向であって釣り針が飛ぶ方向に開放されたスリット部と、
を備える、
こととしてもよい。
【００１２】
また、前記弾性部材が前記スライダの一端及び前記発射台から脱着可能である、
こととしてもよい。
【００１３】
また、磁力により、身の回り品を連結可能な連結部を備える、
こととしてもよい。
【００１４】
さらに、前記スライダには、釣り針及び擬似餌が飛ぶ距離に対応する目盛りが設けられている、
こととしてもよい。
【発明の効果】
【００１５】
本発明によれば、発射台、一方向に延びるスライダ、弾性部材を備える釣り道具を用いて、釣り竿（ロッド）を投げるスペースを必要とせずに、擬似餌を着水させたいポイントに飛ばすことができる。このため、釣り竿を投げるのが困難な場所でも、所望の位置にルアーを投げてルアーフィッシングを楽しむことができる。
【図面の簡単な説明】
【００１６】
【図１】本発明の実施の形態に係る釣り道具の構成を示す上面図である。
【図２】発射台（実際の使用モデル）の拡大図である。
【図３】図３（Ａ）及び図３（Ｂ）は、擬似餌及び釣り針が発射台に装着された状態を示す図である。
【図４】把持部及び連結部の拡大図である。
【図５】ロッドとともに釣り道具を把持する様子を示す図である。
【図６】擬似餌及び釣り針が投げられる様子を示す図である。
【図７】スライダに設けられた目盛りを示す図である。
【発明を実施するための形態】
【００１７】
以下、本発明の実施の形態について図面を参照して詳細に説明する。
【００１８】
図１に示すように、釣り道具１は、発射台２と、スライダ３と、弾性部材４と、を備える。釣り道具１は、例えば、ワーム（魚の餌となる虫を模したもの）等の擬似餌を用いたルアーフィッシングに用いられる。図１では、紙面上側が前方向、すなわち擬似餌及び釣り針が飛ぶ方向となる。
【００１９】
発射台２は、釣り糸の先端に連結された釣り針及び擬似餌を載置する。具体的には、発射台２には、実際の使用モデルを表す図２に示すように、擬似餌等を挿入可能なポケット部２Ａが設けられている。ポケット部２Ａは、スライダ３の摺動方向であって、擬似餌が飛ぶ方向に向けて開口している。図３（Ａ）及び図３（Ｂ）には、擬似餌（ワーム）２０がポケット部２Ａに挿入された状態が示されている。
【００２０】
また、ポケット部２Ａの中央には、スリット部２Ｂが設けられている。スリット部２Ｂには、釣り針２１が保持される。スライダ３の摺動方向であって釣り針２１が飛ぶ方向に開放されている。
【００２１】
また、ポケット部２Ａの後方には、つまみ部２Ｃが設けられている。つまみ部２Ｃは、釣り人によって把持可能な部分である。釣り人は、このつまみ部２Ｃを把持して、スライダ３上で発射台２を摺動させ、発射台２を後方に引っ張る。
【００２２】
スライダ３は、発射台２を一方向に案内するガイドである。スライダ３は、両壁３Ａに挟まれた溝部３Ｂを有するレール状の細長い部材である。この溝部３Ｂに発射台２が嵌め込まれ、発射台２が溝部３Ｂから離脱しないように構成されている。なお、両壁３Ａは、釣り人によって把持可能となっている。
【００２３】
スライダ３の溝部３Ｂには、スライダ３の溝部３Ｂの両端が開放された状態で、発射台２が挿入される。溝部３Ｂの両端が、ネジ止めにより閉じられ、発射台２がその両端から落ちないようになっている。この状態で、発射台２は、スライダ３の長手方向に摺動可能となっている。
【００２４】
弾性部材４は、環状の部材である。弾性部材４として例えば輪ゴムの束を用いることができる。弾性部材４は、発射台２に係止された第１の係止部４Ａと、スライダ３の一端に係止された第２の係止部４Ｂとを有する。
【００２５】
第１の係止部４Ａと第２の係止部４Ｂとの距離が短くなれば、弾性部材４は緩み、第１の係止部４Ａと第２の係止部４Ｂとの距離が広がれば、弾性部材４に引っ張り力が発生するようになる。なお、釣り道具１を使用していない状態では、弾性部材４は緩んだ位置（図２に示す状態）にあるのが望ましい。
【００２６】
また、釣り道具１では、図４に示すように、一方の手で把持可能で、スライダ３に連結された把持部５を備えていてもよい。把持部５を備えることにより、釣り人は、この把持部５を釣り竿（ロッド）１０とともに持ちながらルアーフィッシングを継続して楽しむことができる。
【００２７】
次に、本実施の形態に係る釣り道具１の動作について説明する。
【００２８】
まず、図３（Ａ）及び図３（Ｂ）に示すように、発射台２に、擬似餌２０及び釣り針２１をセットする。すなわち、擬似餌２０は、発射台２のポケット部２Ａが挿入され、釣り針２１が、スリット部２Ｂに挟み込まれる。
【００２９】
さらに、釣り人は、図５に示すように、釣り竿１０を持ったままで、一方の手でスライダ３を把持しつつ、第１の係止部４Ａと第２の係止部４Ｂとの距離が長くなるように、スライダ３上で発射台２をつまみ部２Ｃで把持する。さらに釣り人は、この状態で、図１の点線矢印Ａの方向に摺動させる。これにより、弾性部材４に引っ張り弾性力が与えられる。
【００３０】
その後、発射台２のつまみ部２Ｃから他方の手を離すと、発射台２がスライダ３を矢印Ｂの方向に弾性部材４の引っ張り弾性力による力で摺動する。発射台２がスライダ３の端部まで来ると、発射台２は停止し、発射台２に載置された釣り針２１及び擬似餌２０が、発射台２から離れて、矢印Ａの方向に飛ぶ。釣り針２１及び擬似餌２０は、図６に示すように、目標地点（ポイントＰ）に着水する。
【００３１】
その後、釣り人は、釣り竿１０及び釣り道具１を持ったままリール１２を操作して、釣り糸１１を巻き取る。この巻き取りにより擬似餌２０は、生きた虫のように水底を這うように動き、魚を引きつける。これに魚が食いつけばその魚を釣ることができる。
【００３２】
釣られた魚は、水中に戻され（離され）、これによりキャッチ・アンド・リリースが完了する。
【００３３】
なお、釣り道具１では、弾性部材４を脱着可能としている。このようにすれば、弾性部材４が劣化して、弾性力が低下した場合に弾性部材４を新しいものに交換することができるし、弾性部材４を変えて、擬似餌２０及び釣り針２１が飛ぶ距離を調整することもできる。
【００３４】
また、図３に示すように、磁力により、身の回り品に連結可能な連結部６を備えるようにしてもよい。このようにすれば、釣り道具１を使わないときには、連結部６を例えばズボンベルト（他の身の回り品でもよい）に連結しておき釣り道具１をぶらさげておき、使いたいときだけ釣り竿１０とともに把持して使えばよい。
【００３５】
また、スライダ３には、釣り針２１及び擬似餌２０が飛ぶ距離に対応する目盛りが設けられているようにしてもよい。
【００３６】
図７に示すように、スライダ３には、目盛り３Ｃとして一本線のものと二本線のものと三本線のものとが設けられている。スライダ３を水平にした状態で一本線のものまで発射台２を引いてから、発射台２を発射された場合には、擬似餌２０及び釣り針２１は、５ｍ飛ぶようになる。また、スライダ３を水平にした状態で二本線のものまで発射台２を引いてから、発射台２を発射された場合には、擬似餌２０及び釣り針２１は、１０ｍ飛ぶようになる。さらに、スライダ３を水平にした状態で三本線のものまで発射台２を引いてから、発射台２を発射された場合には、擬似餌２０及び釣り針２１は、１５ｍ飛ぶようになる。
【００３７】
このように、スライダ３に目盛りを付けておけば、目標とする位置（ポイントＰ）に擬似餌２０及び釣り針２１を落としやすくなる。この目盛りは、所定の弾性力を有する弾性部材４を用いたときに有効な目盛りであり、弾性力が異なるものに交換した場合には、スライダ３の目盛りは、異なる距離を示すものとなるが、その弾性部材４を用いて１回擬似餌２０及び釣り針２１を投げ、その時の目盛り位置を覚えておけば、目盛りは、次に擬似餌２０及び釣り針２１を投げるときの距離の目安となる。
【００３８】
以上詳細に説明したように、本実施の形態によれば、発射台２、一方向に延びるスライダ３、弾性部材４を備える釣り道具１を用いて、釣り竿（ロッド）１０を投げるスペースを必要とせずに、擬似餌２０及び釣り針２１を着水させたいポイントに飛ばすことができる。このため、木に覆われるなどして、ロッド１０を投げるのが困難な場所でも、ルアーフィッシングを楽しむことができる。
【００３９】
この釣り道具１によれば、擬似餌２０及釣り針２１は、目標位置の方向の空間さえ空いていればよい。したがって、木で覆われた岸辺からでも、擬似餌２０及び釣り針２１を正確に投げることができる。
【００４０】
また、本実施の形態に係る釣り道具１によれば、発射台２はスライダ３によって一方向に案内されるので、擬似餌等を正確に飛ばすことができる。
【００４１】
また、発射台２上で、擬似餌２０は、その飛ぶ方向に開口したポケット部２Ａに装着され、釣り針２１は、その飛ぶ方向に開放されたスリット部２Ｂに挿入される。したがって、擬似餌２０及び釣り針２１は、常に同じ方向に飛ぶようになり、それらが着水させるポイントをさらに安定化させることができる。
【００４２】
また、本実施の形態に係る釣り道具１は、釣り竿１０を釣り人が持ったまま扱える道具である。ルアーフィッシングは常に場所を変えながら行われる。このため、いちいち釣り竿１０を下に置かなくても扱える釣り道具１は大変便利な道具であると言える。
【００４３】
上記実施の形態では、擬似餌２０をワームとしたが、これには限られない。擬似餌２０は魚の形を模したルアーやスプーン状のものであってもよい。また、ルアーフィッシング以外のフライフィッシングにも本発明を適用することができる。発射台２のポケット部２Ａの大きさが擬似餌２０の大きさによって変わるように、発射台２を付け替え可能としてもよい。
【００４４】
この発明は、この発明の広義の精神と範囲を逸脱することなく、様々な実施の形態及び変形が可能とされるものである。また、上述した実施の形態は、この発明を説明するためのものであり、この発明の範囲を限定するものではない。すなわち、この発明の範囲は、実施の形態ではなく、特許請求の範囲によって示される。そして、特許請求の範囲内及びそれと同等の発明の意義の範囲内で施される様々な変形が、この発明の範囲内とみなされる。
【産業上の利用可能性】
【００４５】
本発明は、ワームやルアーを用いたルアーフィッシングに用いることができる。
【符号の説明】
【００４６】
１  釣り道具、２  発射台、２Ａ  ポケット部、２Ｂ  スリット部、２Ｃ  つまみ部、３  スライダ、３Ａ  両壁、３Ｂ  溝部、４  弾性部材、４Ａ  第１の係止部、４Ｂ  第２の係止部、５  把持部、６  連結部、１０  釣り竿（ロッド）、１１  釣り糸、１２  リール、２０  擬似餌（ワーム）、２１  釣り針、Ｐ  ポイント
【図１】
2018057298.tif 000003
【図２】
2018057298.tif 000004
【図３】
2018057298.tif 000005
【図４】
2018057298.tif 000006
【図５】
2018057298.tif 000007
【図６】
2018057298.tif 000008
【図７】
2018057298.tif 000009